(57)【要約】【課題】貯湯タンクに貯留される湯水に温度変化が生じた場合であっても、給湯温度の変化を抑制することのできる貯湯式給湯機を提供する。【解決手段】貯湯タンク８の湯水と給湯水とを熱交換させるための給湯用熱交換器５２と、貯湯タンク８の上部から給湯用熱交換器５２を経由して貯湯タンク８の下部へ導く給湯熱源管路４６と、給湯熱源管路４６の湯水を循環させる給湯熱源ポンプ４８と、制御部３６と、を備える。制御部３６は、給湯運転において、貯湯タンク８の貯湯温度が基準温度よりも高い場合に給湯熱源流量が第一目標流量よりも低い第二目標流量となるように、給湯熱源ポンプ４８の出力を制御し、その後貯湯温度が基準温度以下となった場合に第二目標流量を徐々に増加させる。そして、第二目標流量が第一目標流量に達した後は、給湯熱源流量が第一目標流量となるように給湯熱源ポンプ４８の出力を制御する。【選択図】図４
2015218980.tif 000002
【特許請求の範囲】
【請求項１】
湯水を貯留させる貯湯タンクと、
前記貯湯タンクに貯留される湯水を加熱する加熱手段と、
前記貯湯タンクの上部の湯水の温度である貯湯温度を検知する貯湯温度センサと、
前記貯湯タンクの上部から供給される湯水と給湯水とを熱交換させるための給湯用熱交換器と、
前記給湯水を前記給湯用熱交換器を経由して給湯端末へ導く給水管路と、
前記貯湯タンクの上部から前記給湯用熱交換器を経由して前記貯湯タンクの下部へ導く給湯熱源管路と、
前記給湯熱源管路の湯水を循環させる給湯熱源ポンプと、
前記給湯熱源管路を流れる湯水の流量である給湯熱源流量を検知する給湯熱源流量センサと、
前記給湯端末への給湯が行われる給湯運転において前記給湯熱源ポンプの出力を制御する制御部と、を備え、
前記制御部は、
前記給湯熱源流量が第一目標流量となるように、前記給湯熱源ポンプの出力を制御する第一ポンプ制御手段と、
前記給湯熱源流量が前記第一目標流量よりも低い第二目標流量となるように、前記給湯熱源ポンプの出力を制御する第二ポンプ制御手段と、を備え、
前記給湯運転において、前記貯湯温度が基準温度よりも高い場合には前記第二ポンプ制御手段を実行し、前記第二ポンプ制御手段の実行中に前記貯湯温度が前記基準温度以下となった場合には、前記第二ポンプ制御手段を継続するとともに前記第二目標流量を徐々に増加させ、前記第二目標流量が前記第一目標流量に達した場合に前記第一ポンプ制御手段を実行する貯湯式給湯機。
【請求項２】
前記制御部は、前記給湯運転が開始されたときの前記貯湯温度が前記基準温度以下の場合に前記第一ポンプ制御手段を実行し、前記第一ポンプ制御手段の実行中に前記貯湯温度が前記基準温度より高くなった場合に、前記第二ポンプ制御手段を実行する請求項１に記載の貯湯式給湯機。
【請求項３】
前記給水管路を流れる湯水の流量である給湯流量を検知する給湯流量センサを備え、
前記制御部は、前記給湯流量に基づいて前記第一目標流量を設定する請求項１又は請求項２に記載の貯湯式給湯機。
【請求項４】
前記制御部は、前記貯湯温度と前記基準温度との差に応じて前記第二目標流量を決定する請求項１から請求項３の何れか１項に記載の貯湯式給湯機。
【請求項５】
前記制御部は、前記加熱手段によって湯水を加熱する際の目標貯湯温度に基づいて前記基準温度を設定する請求項１から請求項４の何れか１項に記載の貯湯式給湯機。
【発明の詳細な説明】
【技術分野】
【０００１】
本発明は、貯湯タンクに貯留された湯を熱源として給水を加熱して給湯する貯湯式給湯機に関する。
【背景技術】
【０００２】
従来、例えば特許文献１には、貯湯タンク内に貯留された流体を加熱し、この流体を循環させて熱交換器に送ることにより水を加熱する給湯機が開示されている。また、この給湯機では、熱交換器から流出する給湯側の湯の温度と給湯設定温度との差に応じてポンプの駆動力が制御され、流体の循環流量が増減される。
【０００３】
また、特許文献２には、給湯流量が急激に変化した際に、変化前の給湯流量と変化後の給湯流量に基づいてポンプ出力を変化させて、給湯温度のオーバーシュートを抑制する手段が開示されている。
【先行技術文献】
【特許文献】
【０００４】
【特許文献１】特開平５-９９５０７号公報
【特許文献２】特開２０１０-１５６４８４号公報
【発明の概要】
【発明が解決しようとする課題】
【０００５】
しかしながら、上述した特許文献１の給湯機では、給水側の温度に基づいてポンプの駆動力を制御する構成のため、貯湯タンクに貯留されている湯水に温度変化が生じた場合に給湯温度が変動して使用者に不快感を与えるおそれがある。
【０００６】
また、上述した特許文献２に記載の給湯機では、給湯流量変化に基づいてポンプの出力を変化させる構成のため、熱源とする貯湯タンクに貯留する湯水に温度変化が生じた場合に給湯温度変化を抑制することができない。
【０００７】
本発明は、上述のような課題を解決するためになされたもので、貯湯タンクに貯留される湯水に温度変化が生じた場合であっても、給湯温度の変化を抑制することのできる貯湯式給湯機を提供することを目的とする。
【課題を解決するための手段】
【０００８】
本発明に係る貯湯式給湯機は、湯水を貯留させる貯湯タンクと、貯湯タンクに貯留される湯水を加熱する加熱手段と、貯湯タンクの上部の湯水の温度である貯湯温度を検知する貯湯温度センサと、貯湯タンクの上部から供給される湯水と給湯水とを熱交換させるための給湯用熱交換器と、給湯水を給湯用熱交換器を経由して給湯端末へ導く給水管路と、貯湯タンクの上部から給湯用熱交換器を経由して貯湯タンクの下部へ導く給湯熱源管路と、給湯熱源管路の湯水を循環させる給湯熱源ポンプと、給湯熱源管路を流れる湯水の流量である給湯熱源流量を検知する給湯熱源流量センサと、給湯端末への給湯が行われる給湯運転において給湯熱源ポンプの出力を制御する制御部と、を備え、制御部は、給湯熱源流量が第一目標流量となるように、給湯熱源ポンプの出力を制御する第一ポンプ制御手段と、給湯熱源流量が第一目標流量よりも低い第二目標流量となるように、給湯熱源ポンプの出力を制御する第二ポンプ制御手段と、を備え、給湯運転において、貯湯温度が基準温度よりも高い場合には第二ポンプ制御手段を実行し、第二ポンプ制御手段の実行中に貯湯温度が基準温度以下となった場合には、第二ポンプ制御手段を継続するとともに第二目標流量を徐々に増加させ、第二目標流量が第一目標流量に達した場合に第一ポンプ制御手段を実行するものである。
【発明の効果】
【０００９】
本発明の貯湯式給湯機によれば、貯湯タンクに貯留される湯水に温度変化が生じた場合であっても、給湯温度の変化を抑制することが可能となる。
【図面の簡単な説明】
【００１０】
【図１】本発明の実施の形態１の貯湯式給湯機を示す構成図である。
【図２】本発明の実施の形態１に係る貯湯式給湯機の沸き上げ運転時の回路構成図である。
【図３】本発明の実施の形態１に係る貯湯式給湯機の給湯運転時の回路構成図である。
【図４】本発明の実施の形態１の給湯温度変動抑制制御のフローチャートである。
【発明を実施するための形態】
【００１１】
以下、図面を参照して本発明の実施の形態について説明する。なお、各図において共通する要素には、同一の符号を付して、重複する説明を省略する。
【００１２】
実施の形態１．
図１は、本発明の実施の形態１の貯湯式給湯機の構成図である。貯湯式給湯機３５は、タンクユニット３３と、ヒートポンプサイクルを利用するＨＰユニット７と、運転動作指令及び設定値の変更操作を行うためのリモコン４４とを備えている。ＨＰユニット７とタンクユニット３３とは、ＨＰ往き配管１４とＨＰ戻り配管１５と図示しない電気配線とを介して接続されている。タンクユニット３３には、制御部３６が内蔵されている。タンクユニット３３およびＨＰユニット７が備える各種弁類、ポンプ類等の作動は、これらと電気的に接続された制御部３６により制御される。制御部３６とリモコン４４とは、相互通信が可能に接続されている。リモコン４４には、図示を省略するが、貯湯式給湯機３５の状態等の情報を表示する表示部、使用者が操作するスイッチ等の操作部、スピーカ及びマイク等が搭載されている。
【００１３】
ＨＰユニット７は、タンクユニット３３が備える貯湯タンク８から導かれた低温水を加熱するための加熱手段として機能する。ＨＰユニット７は、圧縮機１、水冷媒熱交換器３、膨張弁４、空気熱交換器６を冷媒配管５にて環状に接続し、ヒートポンプサイクルを構成している。水冷媒熱交換器３は、冷媒配管５を流れる冷媒とタンクユニット３３から導かれた低温水との間で熱交換を行うためのものである。
【００１４】
タンクユニット３３には、以下の配管及び各種部品が内蔵されている。貯湯タンク８は、湯水を貯留するためのものである。水道等の水源から供給される給水は、第１給水配管９ａを通じてタンクユニット３３内へ導入される。貯湯タンク８の下部に設けられた水導入口８ａは、第３給水配管９ｃを介して第１給水配管９ａに接続されている。第３給水配管９ｃの途中には減圧弁３１が設けられている。第１給水配管９ａから第３給水配管９ｃへ導入される給水は、減圧弁３１で規定の圧力に調圧された上で貯湯タンク８内に流入する。
【００１５】
貯湯タンク８の下部に設けられた水導出口８ｂには、水導出口配管１０の一端が接続されている。水導出口８ｂの他端は、熱源ポンプ１２の吸込側に接続されている。熱源ポンプ１２の吐出側は、ＨＰ往き配管１４を介してＨＰユニット７の入口側と接続されている。また、タンクユニット３３には、三方弁１８が内蔵されている。三方弁１８は、湯水が流入するａポートと、湯水が流出するｂ、ｃポートとを有する流路切替手段である。三方弁１８のａポートは、ＨＰ戻り配管１５を介してＨＰユニット７の出口側と接続されている。三方弁１８のｂポートは、送湯配管１３を介して貯湯タンク８上部に設けられた温水導入口８ｄと接続されている。三方弁１８のｃポートは、バイパス配管１６を介して貯湯タンク８の中央部から下部の間に設けられた温水導入口８ｃと接続されている。
【００１６】
貯湯タンク８には、ＨＰユニット７を用いて加熱された高温湯がＨＰ戻り配管１５及び送湯配管１３を通じて温水導入口８ｄから流入するとともに、低温水が第３給水配管９ｃを通じて水導入口８ａから流入する。これにより、貯湯タンク８には上下部で温度差が生じるように湯水が貯留される。貯湯タンク８の表面には、複数の貯湯温度センサが高さを変えて取り付けられている。より詳しくは、貯湯タンク８の表面の上部には貯湯温度センサ４２が取り付けられ、貯湯タンク８の表面の下部には貯湯温度センサ４３が取り付けられている。貯湯タンク８内の残湯量は、これら貯湯温度センサ４２，４３で貯湯タンク８内の湯水の温度分布を検出することにより把握される。制御部３６は、検出された残湯量に基づいて、ＨＰユニット７による貯湯タンク８内の湯水の沸上運転の開始、停止などを制御する。
【００１７】
タンクユニット３３には、給湯用熱交換器５２が内蔵されている。給湯用熱交換器５２の２次側入口は、第２給水配管９ｂを介して第１給水配管９ａに接続されている。給湯用熱交換器５２の２次側出口は、給湯配管２１を介して給湯栓３４に接続されている。以下の説明では、水源の給水を第１給水配管９ａ、第２給水配管９ｂ、給湯用熱交換器５２及び給湯配管２１を介して給湯栓３４へと導く管路を給水管路９と称し、また、給水管路９を流れる給水を給湯水と称することとする。また、第２給水配管９ｂの途中には、給水管路９を流れる給湯水の流量である給湯流量を検知するための給湯流量センサ４９が配置されている。
【００１８】
また、給湯用熱交換器５２の１次側入口は、熱源導入配管４６ａを介して、貯湯タンク８の上部に設けられた温水導出口８ｅに接続されている。また、給湯用熱交換器５２の１次側出口は、熱源導出配管４６ｂを介して、貯湯タンク８の下部に設けられた温水導入口８ｆに接続されている。以下の説明では、温水導出口８ｅから導出された貯湯タンク８内の湯水を熱源導入配管４６ａ、給湯用熱交換器５２及び熱源導出配管４６ｂを介して温水導入口８ｆから再び貯湯タンク８内へ戻す管路を給湯熱源管路４６と称することとする。また、熱源導出配管４６ｂの途中には、給湯熱源管路４６の湯水を循環させるための給湯熱源ポンプ４８が配置されている。さらに、熱源導出配管４６ｂの途中には、給湯熱源管路４６を流れる湯水の流量である給湯熱源流量を検知するための給湯熱源流量センサ５０が配置されている。給湯栓３４から出湯された高温湯は給湯端末である蛇口などの混合水栓５１に供給され、低温の水道水と混合された上で使用者に利用される。
【００１９】
次に、本実施の形態に係る貯湯式給湯機の動作について説明する。図２は、本発明の実施の形態１に係る貯湯式給湯機の沸き上げ運転時の回路構成図である。尚、ここでいう沸き上げ運転とは、ＨＰユニット７を利用して沸き上げた湯を貯湯タンク８内に貯える運転のことである。この沸き上げ運転時には、三方弁１８は、ａポートとｂポートとが連通しｃポートが閉状態となるように制御される。これにより、ＨＰ戻り配管１５と送湯配管１３とが連通するとともに、バイパス配管１６側を閉として貯湯タンク８の温水導入口８ｃへの流路が遮断される。
【００２０】
沸き上げ運転は、上記のように三方弁１８が制御された状態で、熱源ポンプ１２とＨＰユニット７の運転を開始することにより実行される。その結果、貯湯タンク８の水導出口８ｂから流出する低温水は、水導出口配管１０、熱源ポンプ１２およびＨＰ往き配管１４を経由してＨＰユニット７に導かれ、水冷媒熱交換器３において加熱されて高温湯となった後、ＨＰ戻り配管１５、三方弁１８および送湯配管１３を経由して、貯湯タンク８の温水導入口８ｄから当該貯湯タンク８内に流入し貯えられる。このような沸き上げ運転が実行されることで、貯湯タンク８の内部では、上層部から高温水が貯えられていき、この高温水層が徐々に厚くなる。
【００２１】
また、本実施の形態に係る貯湯式給湯機では、貯湯タンク８内に貯留されている高温水の熱源を用いて、水源から供給される給水を加熱する給湯運転が行われる。図３は、本発明の実施の形態１に係る貯湯式給湯機の給湯運転時の回路構成図である。給湯運転は、蛇口などが開かれたことを受けて、給湯熱源ポンプ４８の運転を開始することにより実行される。その結果、貯湯タンク８の上部に貯留されている高温湯は、温水導出口８ｅから熱源導入配管４６ａを経由して給湯用熱交換器５２の一次側に導入される。この際、第２給水配管９ｂを流れる低温水は給湯用熱交換器５２の二次側に導入される。導入された低温水は給湯用熱交換器５２において一次側の高温湯との熱交換によって加熱され高温湯となる。高温湯となった後の給水は、給湯配管２１を経由して給湯栓３４へ供給される。このような給湯運転が実行されることで、蛇口などの混合水栓５１から連続して湯が出湯される。
【００２２】
なお、本実施の形態に係る貯湯式給湯機において給湯運転が開始されると、制御部３６は、給湯流量センサ４９により検知される給湯流量（すなわち給湯用熱交換器５２の二次側流量）に基づいて、給湯用熱交換器５２の一次側流量である給湯熱源流量の目標流量を決定する。そして、制御部３６は、給湯熱源流量センサ５０により検知される給湯熱源流量が目標流量となるように、給湯熱源ポンプ４８を運転する。
【００２３】
ここで、貯湯タンク８内の高温湯の湯量が低下すると、上述した沸き上げ運転を追加で行う沸き増し運転が行われることがある。この場合、高温湯が温水導入口８ｄから導入されて貯湯タンク８の上部の湯温が通常想定される温度よりも高くなることがある。このような状態において給湯運転が開始されて、給湯流量に基づいて目標流量が決定されると、給湯用熱交換器５２における加熱量が想定される熱量よりも増大する。その結果、給湯温度が上昇してしまい使用者に不快感を与えるおそれがある。
【００２４】
本実施の形態の貯湯式給湯機では、上述のような給湯温度の急激な変動を抑制するための動作に特徴を有している。すなわち、本実施の形態の貯湯式給湯機では、制御部３６は、目標流量の異なる２つのポンプ制御手段を有し、これらの手段の一方を選択して給湯熱源ポンプ４８を運転する。制御部３６が備える２つの手段とは、給湯熱源流量が第一目標流量となるように給湯熱源ポンプ４８を運転する第一ポンプ制御手段と、給湯熱源流量が第一目標流量よりも低い第二目標流量となるように給湯熱源ポンプ４８を運転する第二ポンプ制御手段である。第一目標流量は、例えば給湯流量センサ４９により検知される給湯流量と同量に設定することができる。これにより蛇口に供給される湯の温度は、給湯用熱交換器５２の効率及び各種配管の放熱の影響を除けば貯湯タンク８内の湯の温度と略同温度となる。また、第二目標流量は、第一目標流量よりも低い流量として、例えば給湯流量センサ４９により検知される給湯流量から予め定められた規定量（例えば１Ｌ／ｍｉｎ）を差し引いた量に設定することができる。なお、規定量は、ある基準の温度及び流量条件で所望の給湯温度となるように予め設定しておくとよい。第二ポンプ制御手段では、貯湯温度が基準温度以上に変化した場合を想定している。このため、給湯熱源流量を減量することにより、給湯用熱交換器５２における熱交換による供給熱量を減らし、給湯温度の上昇を抑制することができる。
【００２５】
制御部３６は、給湯運転開始時において、貯湯温度センサ４２によって検知される貯湯タンク８の上部の貯湯温度が基準温度以下である場合に第一ポンプ制御手段を選択し、基準温度よりも高い場合に第二ポンプ制御手段を選択する。基準温度は、想定よりも高い温度の湯が貯湯されているか否かを判断する際に基準となる温度であって、例えば、貯湯タンク８に貯湯するための沸き上げ運転における目標貯湯温度＋５℃に設定される。これにより、貯湯温度が基準温度以下の場合、つまり貯湯温度が想定された温度の範囲内である場合には第一ポンプ制御手段が選択され、給湯熱源流量が第一目標流量となるように給湯熱源ポンプ４８が運転される。一方、貯湯温度が基準温度より高い場合、つまり貯湯温度が想定よりも高い場合には第二ポンプ制御手段が選択され、給湯熱源流量が第二目標流量となるように給湯熱源ポンプ４８が運転される。このような制御によれば、貯湯温度が想定よりも高い場合に給湯熱源流量が減量されるので、給湯用熱交換器５２の二次側を流れる給水への加熱量の増大による給湯温度の上昇を抑制することができる。
【００２６】
また、給湯運転が継続して実行されると、貯湯タンク８内の高温湯の量は徐々に低下し、これに伴い貯湯タンク８の上部の貯湯温度が低下する。そして、貯湯温度が基準温度以下に低下すると、給湯熱源流量が第二目標流量に制御される第二ポンプ制御手段では給湯用熱交換器５２における加熱量が不足してしまう。そこで、第二ポンプ制御手段が選択されている場合において、貯湯温度が基準温度以下になった場合には、制御部３６は、第二ポンプ制御手段における第二目標流量を徐々に増量する。このような制御としては、例えば第二目標流量を０．１Ｌ／ｍｉｎずつ増量することが行われる。これにより、給湯熱源流量が徐々に増量されるので、給湯用熱交換器５２における加熱量の急増による給湯温度の急変を抑制することができる。
【００２７】
その後、制御部３６は、第二目標流量が第一目標流量に達した時点で、第二ポンプ制御手段に替えて第一ポンプ制御手段を選択する。これにより、第二ポンプ制御手段から第一ポンプ制御手段へ切り替える際の給湯温度の急変を抑制することができるので、使用者に不快感を与えることなく第一ポンプ制御手段へ移行することができる。
【００２８】
このように、本実施の形態の貯湯式給湯機によれば、湯の使用又は追加の沸き上げ運転によって貯湯タンク８内の貯湯温度が変化した場合であっても、給湯運転における給湯温度の急変を抑制することができる。これにより使用者に不快感を与えることのない給湯運転を実現することが可能となる。
【００２９】
次に、フローチャートを参照して本発明の実施の形態の貯湯式給湯機における給湯運転の具体的処理について詳細に説明する。図４は、本発明の実施の形態１において制御部３６により実行されるルーチンのフローチャートである。図４に示すルーチンでは、先ず、給湯流量センサ４９によって検知される給湯流量に基づいて、蛇口などが操作されて水道水が流出しているか否かが判定される（ステップＳ１）。その結果、検知された給湯流量が０（ゼロ）である場合には、給湯操作が行われていないと判断されて、次のステップに移行し、給湯熱源ポンプ４８の運転がＯＦＦとされて給湯熱源回路内の湯水の循環が停止される。次に、目標流量を第一目標流量とする第一ポンプ制御手段が選択される（ステップＳ３）。このように、給湯操作が行わていない場合には、上記ステップＳ１、Ｓ２及びＳ３の処理が順に実行されることにより、第一ポンプ制御手段が選択された状態で給湯熱源ポンプ４８の運転が停止された状態が維持される。
【００３０】
一方、上記ステップＳ１において、検知された給湯流量が０（ゼロ）より大きい場合には、給湯操作が行われていると判断されて、次のステップに移行し、給湯熱源ポンプ４８の運転がＯＮとされる（ステップＳ４）。次に、貯湯温度センサ４２によって貯湯タンク８の上部に貯留されている湯の貯湯温度が検知され、この検知された貯湯温度が基準温度以下か否かが判定される（ステップＳ５）。その結果、貯湯温度が基準温度以下であると判定された場合には、比較的通常の状態と判断されて、次のステップに移行し、現在選択されているポンプ制御手段が第一ポンプ制御手段であるか否かが判定される（ステップＳ６）。その結果、現在選択されているポンプ制御手段が第一ポンプ制御手段であると判定された場合には、上記ステップＳ３に移行して、目標流量を第一目標流量とする第一ポンプ制御手段が継続して選択される。このように、貯湯温度が基準温度以下である状態で給湯運転が行われている場合には、上記ステップＳ１、Ｓ４、Ｓ５、Ｓ６及びＳ３の処理が順に実行されることにより、第一ポンプ制御手段が選択された状態で給湯熱源ポンプ４８の運転が行われている状態が維持される。
【００３１】
また、上記ステップＳ５において、貯湯温度が基準温度より高いと判定された場合には、給湯温度が高温に変化するおそれがあると判断されて、次のステップに移行し、第二目標流量が初期化される（ステップＳ１０）。ここでは、具体的には、第二目標流量を初期の値に戻すことが行われる。次に、目標流量を第二目標流量とする第二ポンプ制御手段が選択される（ステップＳ１１）。このように、貯湯温度が基準温度より高い状態で給湯運転が行われている場合には、上記ステップＳ１、Ｓ４、Ｓ５、Ｓ１０及びＳ１１の処理が順に実行されることにより、第二ポンプ制御手段が選択された状態で給湯熱源ポンプ４８の運転が行われている状態が維持される。
【００３２】
さらに、上記ステップＳ６において、現在選択されているポンプ制御手段が第二ポンプ制御手段であると判定された場合には、貯湯温度が基準温度以下であるにも係わらず第二ポンプ制御手段が選択されていると判断されて、次のステップＳ７に移行し、後述するステップＳ８の処理を実行してから予め定められた補正間隔時間（例えば１０秒）が経過したか否かが判定される。その結果、補正間隔時間が経過していない場合には上記ステップＳ１１の処理へ移行し、補正間隔時間が経過した場合にはステップＳ８の処理へ移行する。なお、初めてステップＳ７の処理を実行した場合には、ステップＳ８の処理を未だ実行していないため、補正間隔時間の計測を開始して上記ステップＳ１１へ移行する。
【００３３】
上記ステップＳ７において、補正間隔時間が経過した場合には、次のステップに移行し、第二目標流量を補正流量α分増量することが行われる。なお、補正流量αは、給湯熱源流量を徐々に増量するために定められた補正流量であって、例えば０．１Ｌ／ｍｉｎとされる。次に、第二目標流量が第一目標流量以上となったか否かが判定される（ステップＳ９）。その結果、第二目標流量が未だ第一目標流量に達していないと判定された場合には、上記ステップＳ１１に再度移行して、第二ポンプ制御手段の選択が継続される。このように、第二ポンプ制御手段が選択された給湯運転が行われている状態で貯湯温度が基準温度以下となった場合には、上記ステップＳ１、Ｓ４、Ｓ５、Ｓ６、Ｓ７、Ｓ８、Ｓ９及びＳ１１の処理が順に実行されることにより、第二目標流量が徐々に増量される。
【００３４】
一方、上記ステップＳ９において、第二目標流量が第一目標流量に達したと判定された場合には、上記ステップＳ３に再度移行して第一ポンプ制御手段の選択が行われる。これにより、目標流量が急変することなく第二ポンプ制御手段から第一ポンプ制御手段へと切り替えられる。
【００３５】
以上説明したように、本実施の形態の貯湯式給湯機では、給湯運転中に貯湯タンク８に貯留する湯水の温度変化があった場合にも給湯温度が高温になることを抑制することができる。また、給湯運転中に貯湯温度が元に戻った際にも給湯熱源流量を急に元の流量に戻さずに徐々に戻していくため、給湯温度の変化による不快感を軽減することができる。
【００３６】
以上、本発明の貯湯式給湯機について実施の形態を挙げて説明したが、前述のように、本発明は上記の形態に限定されるものではない。すなわち、上述した実施の形態の貯湯式給湯機では、貯湯温度が基準温度よりも高い場合に第二ポンプ制御手段を選択することとしたが、貯湯温度センサ４２により検知される貯湯温度が予め定められた割合で上昇した場合（例えば５秒間で５ｄｅｇ上昇した場合）に第二ポンプ制御手段を選択することとしてもよい。これにより、貯湯タンク８内に追加の沸き上げ運転によって高温の湯を追加する際にＨＰユニット７等の加熱手段が過剰な高温で沸き上げた場合だけでなく、給湯又は放熱によって温度が低下した状態からの追加の沸き上げ運転の場合など、正常かつ急な貯湯温度の上昇時にも対応が可能となり、給湯温度の変動による不快感を抑制する効果を奏する。
【００３７】
また、上述した実施の形態の貯湯式給湯機では、第一目標流量を給湯流量センサ４９によって検知される給湯流量と同量に設定することとした。しかしながら、第一目標流量として設定される流量はこれに限られず、例えば、給湯流量センサ４９により検知される給湯流量に予め規定された規定量を加えた値としてもよい。この際、規定量を、例えば、給湯用熱交換器５２の熱交換効率によるロス熱量分の温度差としておけば、熱交換効率の悪い熱交換器を用いた場合にも給湯温度の低下を減らすことができる。
【００３８】
さらに、上述した実施の形態の貯湯式給湯機では、第二目標流量を給湯流量センサ４９により検知される給湯流量から予め定められた規定量（例えば１Ｌ／ｍｉｎ）を差し引いた流量に設定することとした。しかしながら、第一目標流量として設定される流量はこれに限られず、貯湯温度センサ４２により検知される貯湯温度と基準温度との差に応じて動的に決定してもよい。例えば、基準温度からの偏差Ｅと補正流量ΔＦとの関係を次式（１）の通りとし、係数Ａ、Ｂは予め試験などによって決定し制御部３６に記憶させておくとよい。
ΔＦ＝−ＡＥ＋Ｂ      ・・・（１）
【００３９】
上式（１）において、偏差Ｅが５ｄｅｇである場合に係数Ａ＝０．１、Ｂ＝０と仮定すると、補正流量ΔＦは−０．５Ｌ／ｍｉｎと演算される。これにより、基準温度からの偏差が大きいほど目標流量を小さく設定できるので、より給湯温度変動を小さくすることができる。
【符号の説明】
【００４０】
１  圧縮機、３  水冷媒熱交換器、４  膨張弁、５  冷媒循環配管、６  空気熱交換器、７  ＨＰユニット（加熱手段）、８  貯湯タンク、８ａ  水導入口、８ｂ  水導出口、８ｃ  温水導入口、８ｄ  温水導入口、８ｅ  温水導出口、８ｆ  温水導入口、９  給水管路、９ａ  第１給水配管、９ｂ  第２給水配管、９ｃ  第３給水配管、１０  水導出口配管、１２  熱源ポンプ、１３  送湯配管、１４  ＨＰ往き配管、１５  ＨＰ戻り配管、１６  バイパス配管、２１  給湯配管、３１  減圧弁、３３  タンクユニット、３４  給湯栓、３５  貯湯式給湯機、３６  制御部、４２，４３  貯湯温度センサ、４４  リモコン装置、４６  給湯熱源管路、４６ａ  熱源導入配管、４６ｂ  熱源導出配管、４８  給湯熱源ポンプ、４９  給湯流量センサ、５０  給湯熱源流量センサ、５１  混合水栓、５２    給湯用熱交換器
【図１】
2015218980.tif 000003
【図２】
2015218980.tif 000004
【図３】
2015218980.tif 000005
【図４】
2015218980.tif 000006